(57)【要約】      （修正有）【課題】アイラッシュカーラーの位置を決定するために取扱いを安定させることができ、それによりアイラッシュカーラーを使用する人の無意識の恐怖、若しくは不安、又はその両方を和らげる。【解決手段】アイラッシュカーラー１は、睫毛を挟むための上側の挟み部分５０を有する第１の部材と、睫毛を挟むための下側の挟み部分を有する第２の部材とを備え、第２の部材が第１の部材に対して枢動軸４周りに枢動自在である。上側の挟み部分５０と下側の挟み部分とは、第２の部材の枢動によって、上側と下側の挟み部分の挟み縁部同士が互いに近づいたり離れたりするように、互いに向き合っている。第１の部材の一端には、瞼に接触させるための接触面５７を備える瞼パッド５６が設けられており、上側の挟み部分５０が、瞼パッド５６の接触面５７から枢動軸４の方向へオフセットされている。【選択図】図５
2014217429.tif 000002
【特許請求の範囲】
【請求項１】
睫毛をカーリングするためのアイラッシュカーラーであって、前記睫毛を挟むための上側の挟み部分を有する第１の部材と、前記睫毛を挟むための下側の挟み部分を有する第２の部材と、を備えており、前記第２の部材が前記第１の部材に枢動可能に連結されている、前記アイラッシュカーラーにおいて、
前記第２の部材が前記第１の部材に対して相対的に枢動軸周りに枢動自在であり、前記上側の挟み部分が、前記枢動軸から離れた前記第１の部材の一端に位置しており、
前記下側の挟み部分が、前記枢動軸から離れた前記第２の部材の一端に位置しており、  前記上側の挟み部分の挟み縁部と前記下側の挟み部分の挟み縁部とが、前記第２の部材の枢動によって前記挟み縁部同士が互いに近づいたり離れたりするように、互いに向き合っており、
前記第１の部材の前記一端には、瞼に接触させるための接触面を備える瞼パッドが設けられており、  前記上側の挟み部分が、前記瞼パッドの前記接触面から前記枢動軸の方向へオフセットされている、ことを特徴とするアイラッシュカーラー。
【請求項２】
前記第１の部材が、前記枢動軸から前記第１の部材の他端の方向へ離れて位置する第１のハンドル部を備え、
前記第２の部材が、前記枢動軸から前記第２の部材の他端の方向へ離れて位置する第２のハンドル部を備えることを特徴とする、請求項１に記載のアイラッシュカーラー。
【請求項３】
前記第１のハンドル部が、使用者の親指及び中指のうちの一方を挿通させるための孔を有する第１のリング部分を備え、前記第１のリング部分が、前記枢動軸に枢動可能に支持された第１の細長い部分の下端に連結され、
前記第１のハンドル部には、使用者の人差し指にフィットするように適合された第１の凹曲部が設けられ、前記第１の凹曲部が、前記第１のリング部分と前記第１の細長い部分との間の連結部の外側部分に形成されていることを特徴とする、請求項２に記載のアイラッシュカーラー。
【請求項４】
前記第２のハンドル部が、使用者の親指及び中指のうちの他方を挿通させるための孔を有する第２のリング部分を備え、前記第２のリング部分が、前記枢動軸に枢動可能に支持された第２の細長い部分の下端に連結され、
前記第２のハンドル部には、使用者の人差し指にフィットするように適合された第２の凹曲部が設けられ、前記第２の凹曲部が、前記第２のリング部分と前記第２の細長い部分との間の連結部の外側部分に形成されていることを特徴とする、請求項２又は３に記載のアイラッシュカーラー。
【請求項５】
前記第１の部材が、前記第１のハンドル部が下向きに延びるようにして、使用者が使用者自身の睫毛をカーリングするために前記アイラッシュカーラーを取り扱う際に前記アイラッシュカーラーを取り扱う腕の上腕が使用者の胴部に接近したままとなるような角度で、屈曲されていることを特徴とする、請求項２から４のいずれか一項に記載のアイラッシュカーラー。
【請求項６】
前記上側の挟み部分が鉛直に配置される姿勢において、前記第１のハンドル部が、前記上側の挟み部分に平行するか、或いは、前記枢動軸よりも前記第１のハンドル部の下端の方が前記上側の挟み部分に対して水平方向により近くなるように、前記上側の挟み部分の方へ傾斜していることを特徴とする、請求項５に記載のアイラッシュカーラー。
【請求項７】
前記瞼パッドの前記接触面が、瞼の形状にフィットするように適合された凹曲面となっていることを特徴とする、請求項１から６のいずれか一項に記載のアイラッシュカーラー。
【請求項８】
前記瞼パッドの前記接触面が、前記上側の挟み部分が鉛直に配置される姿勢において前記接触面の下端よりも上端の方が前記枢動軸に対して水平方向により近くなるように、後方へ傾斜していることを特徴とする、請求項１から７のいずれか一項に記載のアイラッシュカーラー。
【請求項９】
前記瞼パッドが着脱可能なカバーを備え、前記カバーに前記接触面が形成されることを特徴とする、請求項１から８のいずれか一項に記載のアイラッシュカーラー。
【請求項１０】
前記瞼パッドのうちの少なくとも前記接触面が、少なくとも１つの非金属材料で作られていることを特徴とする、請求項１から９のいずれか一項に記載のアイラッシュカーラー。
【請求項１１】
前記非金属材料が、木、布、ゴム、皮、及び合成樹脂からなる群の中から選択されることを特徴とする、請求項１０に記載のアイラッシュカーラー。
【請求項１２】
前記下側の挟み部分が、少なくとも１つの軟質材料を備えることを特徴とする、請求項１から１１のいずれか一項に記載のアイラッシュカーラー。
【請求項１３】
前記瞼パッドの幅が、１０〜２５ｍｍであり、好ましくは１５〜２０ｍｍであり、より好ましくは１８ｍｍであることを特徴とする、請求項１から１２のいずれか一項に記載のアイラッシュカーラー。
【請求項１４】
睫毛をカーリングするためのアイラッシュカーラーであって、前記睫毛を挟むための上側の挟み部分を有する第１の部材と、前記睫毛を挟むための下側の挟み部分を有する第２の部材と、を備えており、前記第２の部材が前記第１の部材に枢動可能に連結されている、前記アイラッシュカーラーにおいて、
前記第２の部材が前記第１の部材に対して相対的に枢動軸周りに枢動自在であり、前記上側の挟み部分が、前記枢動軸から離れた前記第１の部材の一端に位置しており、  前記下側の挟み部分が、前記枢動軸から離れた前記第２の部材の一端に位置しており、  前記上側の挟み部分の挟み縁部と前記下側の挟み部分の挟み縁部とが、前記第２の部材の枢動によって前記挟み縁部同士が互いに近づいたり離れたりするように、互いに向き合っており、  前記第１の部材の前記一端には、瞼に接触させるための接触面を備える瞼パッドが設けられており、  前記瞼パッドの幅が、１０〜２５ｍｍであり、好ましくは１５〜２０ｍｍであり、より好ましくは１８ｍｍであることを特徴とするアイラッシュカーラー。
【請求項１５】
睫毛をカーリングする方法であって、請求項１から１４のいずれか一項に記載のアイラッシュカーラーを使用し、前記瞼パッドを瞼に当接させることを特徴とする方法。
【発明の詳細な説明】
【技術分野】
【０００１】
本発明は、睫毛をカーリングするためのアイラッシュカーラーに関し、より具体的には、人の上睫毛を立ち上げるためのアイラッシュカーラーであって、使用中にその人に安全な感覚を与えるアイラッシュカーラーに関する。
【背景技術】
【０００２】
目元をより印象的にする目的で上睫毛を立ち上げるために、様々なアイラッシュカーラーが、多くの人々によって長い間使用されてきた。下記の特許文献１の図２に示されたアイラッシュカーラーは、最も一般的なアイラッシュカーラーの１つとして周知である。このアイラッシュカーラーは、間に睫毛を挟むための上側および下側の挟み部分を有している。挟み部分のそれぞれは、上瞼の縁に合致させる目的で円弧状に湾曲していると共に、上瞼の縁全体を覆うのに十分な幅を有している。しかしながら、実際には、眼球の形状や大きさには個人差があるため、睫毛をカーリングしようとする人の上瞼の縁が挟み部分と同じ形状であるとは限らない。人の上瞼の縁の形状と挟み部分の形状との不一致によって、目頭若しくは目尻、又はその両方の睫毛が立ち上げられなかったり、或いは、それらの睫毛が根元ではなくて先端の方で立ち上げられたりする問題が生じる。
【０００３】
別のタイプのアイラッシュカーラーが一般に知られており、このタイプのアイラッシュカーラーの挟み部分は、前者のタイプのアイラッシュカーラーよりも幅が狭い。このタイプのアイラッシュカーラーは、睫毛を部分的に立ち上げることを可能にする。しかしながら、このタイプのアイラッシュカーラーは、上側の挟み部分を支持する２つのサイドフレームを具備しているので、サイドフレームが原因で、このアイラッシュカーラーを使用して目頭若しくは目尻、又はその両方の睫毛を立ち上げることができない。
【０００４】
下記の特許文献２および特許文献３には、目頭若しくは目尻、又はその両方の睫毛を立ち上げることが可能なフレームレスタイプのアイラッシュカーラーが開示されている。このタイプのアイラッシュカーラーの挟み部分は、前者のタイプのアイラッシュカーラーよりも小さい。したがって、アイラッシュカーラーを使用して人の睫毛を立ち上げようとする際に、人は、まるで尖鋭恐怖症のように、小さいものが人の眼球に向かって接近することに起因する無意識の恐怖を感じる。また、このタイプのアイラッシュカーラーを使用する際、使用者は、睫毛を根元から立ち上げるためにアイラッシュカーラーの位置を使用者の距離感によって決めなければならない。しかしながら、その決定は、このタイプのアイラッシュカーラーに慣れていない人々にとってかなり困難である。不慣れな使用者がアイラッシュカーラーを用いて睫毛を根元から立ち上げようとする場合、間違えて挟み部分によって瞼が挟まれる場合がある。目は人にとって繊細な領域であるため、人は、アイラッシュカーラーを使用して睫毛を立ちあげる際に瞼を挟む可能性があることに不安を覚える。
【先行技術文献】
【特許文献】
【０００５】
【特許文献１】国際公開第９７／０６７１０号
【特許文献２】特開平９−２０６１２０号公報
【特許文献３】特開２００１−１７８５２７号公報
【発明の概要】
【発明が解決しようとする課題】
【０００６】
フレームレスタイプのアイラッシュカーラーの未解決の上記問題に対処する必要がある。
【０００７】
本発明の目的は、安全性が向上するようにアイラッシュカーラーの位置を決定するために取扱いを安定させることができるアイラッシュカーラーを提供し、それにより、アイラッシュカーラーを使用して睫毛がカーリングされる人の前記した無意識の恐怖、若しくは不安、又はその両方を和らげることである。
【課題を解決するための手段】
【０００８】
この目的は、睫毛をカーリングするためのアイラッシュカーラーであって、前記睫毛を挟むための上側の挟み部分を有する第１の部材と、前記睫毛を挟むための下側の挟み部分を有する第２の部材と、を備えており、前記第２の部材が前記第１の部材に枢動可能に連結されている、前記アイラッシュカーラーにおいて、前記第２の部材が前記第１の部材に対して相対的に枢動軸周りに枢動自在であり、前記上側の挟み部分が、前記枢動軸から離れた前記第１の部材の一端に位置しており、前記下側の挟み部分が、前記枢動軸から離れた前記第２の部材の一端に位置しており、前記上側の挟み部分の挟み縁部と前記下側の挟み部分の挟み縁部とが、前記第２の部材の枢動によって前記挟み縁部同士が互いに近づいたり離れたりするように、互いに向き合っており、前記第１の部材の前記一端には、瞼に接触させるための接触面を備える瞼パッドが設けられており、前記上側の挟み部分が、前記瞼パッドの前記接触面から前記枢動軸の方向へオフセットされている、アイラッシュカーラーによって達成される。
【０００９】
このアイラッシュカーラーによって、アイラッシュカーラーを使用することによって人の睫毛をカーリングする際に、人の瞼の上に瞼パッドを当てることによって、アイラッシュカーラーの位置を決定するための取扱いを安定させることができ、それにより、人の安全性を向上させることができる。その結果、安全な感覚は、人の眼球に向かって上側の挟み部分が接近することによる無意識の恐怖を和らげる。また、瞼パッドが人の瞼の上に当てられると、上側の挟み部分を、瞼から枢動軸の方向へ離れて位置させることができる。したがって、アイラッシュカーラーは、上側および下側の挟み部分の間に人の瞼が挟まれることを確実に防止することができる。特に、人の上瞼の縁が、瞼パッドで上瞼が押圧されることによって膨出した場合であっても、上瞼の縁が上側および下側の挟み部分の間に挟まれないであろう。その結果、人の安全性を向上させることができ、瞼を挟む可能性があることに起因する不安感を和らげることができる。
【００１０】
アイラッシュカーラーの１つの実施態様において、前記第１の部材が、前記枢動軸から前記第１の部材の他端の方向へ離れて位置する第１のハンドル部を備え、前記第２の部材が、前記枢動軸から前記第２の部材の他端の方向へ離れて位置する第２のハンドル部を備える。前記第１のハンドル部は、使用者の親指及び中指のうちの一方を挿通させるための孔を有する第１のリング部分を備え、前記第１のリング部分が、前記枢動軸に枢動可能に支持された第１の細長い部分の下端に連結される。前記第１のハンドル部には、使用者の人差し指にフィットするように適合された第１の凹曲部が設けられ、前記第１の凹曲部が、前記第１のリング部分と前記第１の細長い部分との間の連結部の外側部分に形成されている。前記第２のハンドル部は、使用者の親指及び中指のうちの他方を挿通させるための孔を有する第２のリング部分を備え、前記第２のリング部分が、前記枢動軸に枢動可能に支持された第２の細長い部分の下端に連結される。前記第２のハンドル部には、使用者の人差し指にフィットするように適合された第２の凹曲部が設けられ、前記第２の凹曲部が、前記第２のリング部分と前記第２の細長い部分との間の連結部の外側部分に形成されている。
【００１１】
アイラッシュカーラーの好適な実施態様において、前記第１の部材が、前記第１のハンドル部が下向きに延びるようにして、使用者が使用者自身の睫毛をカーリングするために前記アイラッシュカーラーを取り扱う際に前記アイラッシュカーラーを取り扱う腕の上腕が使用者の胴部に接近したままとなるような角度で、屈曲されている。具体的には、前記上側の挟み部分が鉛直に配置される姿勢において、前記第１のハンドル部が、前記上側の挟み部分に平行するか、或いは、前記枢動軸よりも前記第１のハンドル部の下端の方が前記上側の挟み部分に対して水平方向により近くなるように、前記上側の挟み部分の方へ傾斜している。
【００１２】
アイラッシュカーラーの別の好適な実施態様によれば、前記瞼パッドの前記接触面が、瞼の形状にフィットするように適合された凹曲面となっている。アイラッシュカーラーの更に好適な実施態様によれば、前記瞼パッドの前記接触面が、前記上側の挟み部分が鉛直に配置される姿勢において前記接触面の下端よりも上端の方が前記枢動軸に対して水平方向により近くなるように、後方へ傾斜している。アイラッシュカーラーの更に好適な実施態様によれば、前記瞼パッドが着脱可能なカバーを備え、前記カバーに前記接触面が形成される。アイラッシュカーラーの更に好適な実施態様によれば、前記瞼パッドのうちの少なくとも前記接触面が、少なくとも１つの非金属材料で作られている。前記非金属材料は、好ましくは、木、布、ゴム、皮、及び合成樹脂からなる群の中から選択される。
【００１３】
アイラッシュカーラーの別の好適な実施態様によれば、前記下側の挟み部分が、少なくとも１つの軟質材料を備える。アイラッシュカーラーの更に好適な実施態様によれば、前記瞼パッドの幅が、１０〜２５ｍｍであり、好ましくは１５〜２０ｍｍであり、より好ましくは１８ｍｍである。
【００１４】
また、上記した目的は、睫毛をカーリングするためのアイラッシュカーラーであって、前記睫毛を挟むための上側の挟み部分を有する第１の部材と、前記睫毛を挟むための下側の挟み部分を有する第２の部材と、を備えており、前記第２の部材が前記第１の部材に枢動可能に連結されている、前記アイラッシュカーラーにおいて、前記第２の部材が前記第１の部材に対して相対的に枢動軸周りに枢動自在であり、前記上側の挟み部分が、前記枢動軸から離れた前記第１の部材の一端に位置しており、前記下側の挟み部分が、前記枢動軸から離れた前記第２の部材の一端に位置しており、前記上側の挟み部分の挟み縁部と前記下側の挟み部分の挟み縁部とが、前記第２の部材の枢動によって前記挟み縁部同士が互いに近づいたり離れたりするように、互いに向き合っており、前記第１の部材の前記一端には、瞼に接触させるための接触面を備える瞼パッドが設けられており、前記瞼パッドの幅が、１０〜２５ｍｍであり、好ましくは１５〜２０ｍｍであり、より好ましくは１８ｍｍである、アイラッシュカーラーによっても達成される。
【００１５】
このアイラッシュカーラーによって、アイラッシュカーラーを使用することによって人の睫毛をカーリングする際に、人の瞼の上に瞼パッドを当てることによって、アイラッシュカーラーの位置を決定するための取扱いを安定させることができ、それにより、人の安全性を向上させることができる。その結果、安全な感覚は、人の眼球に向かって上側の挟み部分が接近することによる無意識の恐怖を和らげる。特に、瞼パッドの幅が、１０〜２５ｍｍであり、好ましくは１５〜２０ｍｍであり、より好ましくは１８ｍｍであるので、人の眼球に向かって上側の挟み部分が接近することによる無意識の恐怖が和らげられる。
【００１６】
別の態様では、本願発明は、睫毛をカーリングする方法であって、上記した実施態様のうちのいずれか１つに係るアイラッシュカーラーを使用し、前記瞼パッドを瞼に当接させることを特徴とする方法を提供する。
【００１７】
「睫毛」という用語は、人の天然の睫毛はもちろん、人の天然の睫毛に取り付けられる付け睫毛も意味すると理解されるべきである。
【００１８】
「人」という用語は、アイラッシュカーラーを使用してカーリングしようとする睫毛を持つ者を意味すると理解されるべきである。一方、「使用者」という用語は、アイラッシュカーラーを取り扱う者を意味すると理解されるべきである。つまり、使用者が使用者自身の睫毛をカーリングするためにアイラッシュカーラーを取り扱う場合には、「人」という用語は「使用者」という用語と同じ人間を指す。これに対し、使用者が使用者以外の誰かの睫毛をカーリングするためにアイラッシュカーラーを取り扱う場合には、「人」という用語は「使用者」という用語と異なる人間を指す。
【００１９】
本発明は、添付図面を考察した上で、後述した、限定されない発明の実施の形態の詳細な説明によって、より理解され得る。
【図面の簡単な説明】
【００２０】
【図１】図１は、下側の挟み部分が上側の挟み部分に押し付けられた閉状態における、本願発明に係るアイラッシュカーラーの側面図である。
【図２】図２は、下側の挟み部分が上側の挟み部分から離間した開状態における、本願発明に係るアイラッシュカーラーの側面図である。
【図３】図２は、図１に示されたアイラッシュカーラーの上面図である。
【図４】図２は、図１に示されたアイラッシュカーラーの正面図である。
【図５】図５は、本願発明に係るアイラッシュカーラーの斜視図である。
【図６】図６は、第１の部材の端部に取り付けられた上側部材の上面図である。
【図７】図７は、上側部材の側面図である。
【図８】図８は、上側部材の正面図である。
【図９】図９は、瞼パッドの外装を構成する瞼パッドカバーの側面図である。
【図１０】図１０は、瞼パッドカバーの正面図である。
【図１１】図１１は、瞼パッドカバーの背面図である。
【図１２】図１２は、瞼パッドカバーの底面図である。
【図１３】図１３は、人の横側を示しており、人が、その人自身によるアイラッシュカーラーの使用によって睫毛を立ち上げようとして瞼パッドをその人の瞼の上に当てているところの図である。
【図１４】図１４は、人の横側を示しており、その人自身によるアイラッシュカーラーの使用によってその人の睫毛が立ち上げられているところの図である。
【図１５】図１５は、人の横側を示しており、使用者が、人の睫毛を立ち上げるためにアイラッシュカーラーを取り扱っている図である。
【発明を実施するための形態】
【００２１】
図１〜図５に示されたアイラッシュカーラー１は、人の上睫毛を立ち上げるために化粧品の分野で使用される器具である。アイラッシュカーラー１は、第１の部材２と第２の部材３とを備える。第１の部材２及び第２の部材３は両方とも、互いに交差するレバー部品であり、第１の部材２及び第２の部材３は、第２の部材３が第１の部材２に対して相対的に枢動軸４周りに枢動自在となるように、枢動軸４によって互いに枢動可能に連結されている。
【００２２】
第１の部材２は、図５に示されているように１本の金属線２０を曲げることによって形成されており、且つ、金属線２０の両端部２１，２１が第１の部材２の一端を構成すると共に金属線２０の中間部２２が第１の部材２の他端を構成するように設計されている。
【００２３】
側面視において、第１の部材２は、第１の部材２の一方側にある一方の部分が、第１の部材２の屈曲部２３の一端から水平方向に延在し、第１の部材２の他方側にある他方の部分が、屈曲部２３の他端から下向きに延在するような方向に曲げられている。第１の部材２の他方側にある他方の部分には、第１の細長い部分２４及び第１のハンドル部２５が設けられている。第１の細長い部分２４は、屈曲部２３から下向きに延在していると共に、枢動軸４に枢動可能に支持されている。
【００２４】
第１のハンドル部２５は、枢動軸４から第１の部材２の他端の方向へ離れて位置している。第１のハンドル部２５は、使用者の親指及び中指のうちの一方を挿通させるための孔２７を有する第１のリング部分２６を備えると共に、金属線２０の中間部２２を涙の雫の形状となるように環状に曲げることによって形成される。涙の雫の形状の第１のリング部分２６の尖側部２８は、第１の細長い部分２４の下端に連結されている。涙の雫の形状の第１のリング部分２６の尖側部２８の外側部分には、第１の凹曲部２９が設けられている。第１の凹曲部２９は、使用者の人差し指にフィットするように適合させるために第１のリング部分２６から第１の細長い部分２４に向かって湾曲するようにして形成されており、第１のリング部分２６と第１の細長い部分２４との間に位置している。
【００２５】
第２の部材３は、図５に示されているように１本の金属線３０を曲げることによって形成されており、且つ、金属線３０の両端部３１，３１が第２の部材３の一端を構成すると共に金属線３０の中間部３２が第２の部材３の他端を構成するように設計されている。
【００２６】
側面視において、第２の部材３は、第２の部材３の一方側にある端部が、第２の部材３の第１の屈曲部３３Ａの一端から水平方向に延在し、第２の部材３の中間部分が、第１の屈曲部３３Ａから第２の部材３の第２の屈曲部３３Ｂの一端に向かって斜め下方に延在し、第２の部材３の他方側にある端部が第２の屈曲部３３Ｂの他端から下向きに延在するような方向に、少なくとも２つの点で曲げられている。第２の部材３の他方側にある端部には、第２の細長い部分３４及び第２のハンドル部３５が設けられている。第２の細長い部分３４は、第２の屈曲部３３Ｂから下向きに延在していると共に、枢動軸４に枢動可能に支持されている。
【００２７】
第２のハンドル部３５は、枢動軸４から第２の部材３の他端の方向へ離れて位置している。第２のハンドル部３５は、第１のハンドル部２５に対して対称な形状となっている。具体的には、第２のハンドル部３５は、使用者の親指及び中指のうちの他方を挿通させるための孔３７を有する第２のリング部分３６を備えると共に、金属線３０の中間部３２を涙の雫の形状となるように環状に曲げることによって形成される。涙の雫の形状の第２のリング部分３６の尖側部３８は、第２の細長い部分３４の下端に連結されている。涙の雫の形状の第２のリング部分３６の尖側部３８の外側部分には、第２の凹曲部３９が設けられている。第２の凹曲部３９は、使用者の人差し指にフィットするように適合させるために第２のリング部分３６から第２の細長い部分３４に向かって湾曲するようにして形成されており、第２のリング部分３６と第２の細長い部分３４との間に位置している。
【００２８】
第１の部材２には、睫毛を挟むための上側の挟み部分５０を有する上側部材５が設けられている。上側部材５は、枢動軸４から離れた第１の部材２の一端に装着され、第１の部材２のうちの第１のハンドル部２５の反対側に位置している。
【００２９】
図６〜図８を参照すると、上側部材５は、一枚の金属板から作られており、この金属板は、平面部分５１と、金属線２０の両端２１，２１を受容するための管状部分５２，５２と、瞼パッドベース５３と、上側の挟み部分５０と、を形成するように曲げられている。平面部分５１は、金属線２０の両端２１，２１の上方に水平に配置されている。管状部分５２，５２はそれぞれ、平面部分５１の両側部に位置しており、平面部分５１の下面に沿って延在している。管状部分５２，５２のそれぞれは、平面部分５１の側部から外側に向かって突出したタブを筒状に丸めることによって形成される。
【００３０】
瞼パッドベース５３は、平面部分５１の前方部に位置しており、瞼パッドベース５３の上端が瞼パッドベース５３の下端よりも水平方向において後方になるように、後方にわずかに、例えば１０度の角度で傾いている。平面視において、瞼パッドベース５３は、前方に凹むように円弧状に湾曲している。瞼パッドベース５３は、平面部分５１の前方部に連続的に連結された延長板を曲げて、延長板を上側に延在させてから下側に折り返すことによって形成される。瞼パッドベース５３の下端は、傾斜部分５４に連続的に連結されている。傾斜部分５４は、瞼パッドベース５３の下端から下方向へ向かって後方へ傾斜している。傾斜部分５４は、上側の挟み部分５０に連続的に連結されており、上側の挟み部分５０は、スラット状の形であり、傾斜部分５４の下端から、平面部分５１に対して垂直な方向に垂下されている。上側の挟み部分５０は、瞼パッドベース５３の下に位置していると共に、後述する瞼パッド５６の接触面５７から枢動軸４の方向へオフセットされている。上側の挟み部分５０は、上側の挟み部分５０の挟み縁部（つまり下側縁）が瞼の縁の形状に合致するように、平面視において前方に凹むように円弧状に湾曲している。
【００３１】
瞼パッドベース５３には、着脱可能な瞼パッドカバー５５が被せられている。瞼パッドベース５３と瞼パッドカバー５５とは、瞼に接触するための接触面５７を備える瞼パッド５６を構成している。瞼パッドカバー５５は、肌、特に金属アレルギーの人の肌に優しい、例えば木、布、ゴム、皮、及び合成樹脂などの少なくとも１つの非金属材料で作られている。
【００３２】
図９〜図１２を参照すると、瞼パッドカバー５５は、瞼パッドカバー５５の後方側が切り取られることによって、瞼パッドカバー５５の、接触面５７である前面が瞼パッドカバー５５の後面よりも垂直方向に長くなるように設計されている。瞼パッドカバー５５は、瞼パッドベース５３の上側部分を受容する溝部５９を有している。溝部５９は、瞼パッドカバー５５の底面５８に形成されており、その底面５８から瞼パッドカバー５５の前方部分の下部が下向きに突出している。
【００３３】
図１〜図４に示されているように、瞼パッドカバー５５が、瞼パッドベース５３の上側部分が瞼パッドカバー５５の溝部５９の中に挿入されるようにして、瞼パッドベース５３に取り付けられると、瞼パッドカバー５５は、円弧状の形をした瞼パッドベース５３に従って瞼パッドカバー５５が変形することによって、平面視において円弧状の形になる。その結果、瞼パッドカバー５５に形成された接触面５７は、瞼の形状にフィットするように適合された凹曲面となる。また、瞼パッドベース５３が後方に傾斜しているので、瞼パッドカバー５５に形成された接触面５７も、図１及び図２に示されるように上側の挟み部分５０が鉛直に配置される姿勢において接触面５７の下端よりも接触面５７の上端の方が枢動軸４に対して水平方向により近くなるように、瞼パッドベース５３に従って後方に傾斜する。接触面５７のこれらの特徴によって、使用時に接触面５７が瞼の表面にフィットすることになる。瞼パッド５６の幅（Ｗ）は、１０〜２５ｍｍ、好ましくは１５〜２０ｍｍ、さらに好ましくは１８ｍｍである。
【００３４】
なお、第１の部材２が、第１のハンドル部２５が下向きに延びるようにして、使用者が使用者自身の睫毛をカーリングするためにアイラッシュカーラー１を取り扱う際にアイラッシュカーラー１を取り扱う腕の上腕が使用者の胴部に接近したままとなるような角度で、屈曲されている。具体的には、図１及び図２に示されているように上側の挟み部分５０が鉛直に配置される姿勢において、枢動軸４よりも第１のハンドル部２５の下端の方が上側の挟み部分５０に対して水平方向により近くなるように、第１の部材２の他方側にある他方側の部分の中心軸が上側の挟み部分５０の方へ傾斜している。あるいは、図１及び図２に示されているように上側の挟み部分５０が鉛直に配置される姿勢において、第１の部材２の他方側にある他方側の部分の中心軸が上側の挟み部分５０に平行する。すなわち、第１のハンドル部２５は、水平方向における上側の挟み部分５０と枢動軸４との間に配置される。好ましくは、第１のリング部分２６の最前部は、上側の挟み部分５０の真下に位置している。第１の部材２のこの特徴によって、アイラッシュカーラー１の使用中における取扱いが安定することになる。
【００３５】
第２の部材３には、上側の挟み部分５０と協働して睫毛を挟むための下側の挟み部分６０を有する下側部材６が設けられている。下側部材６は、枢動軸４から離れた第２の部材３の一端に装着され、第２の部材３のうちの第２のハンドル部３５の反対側に位置している。下側部材６は、一枚の金属板から作られており、この金属板は、平面部分６１と、金属線３０の両端３１，３１を受容するための管状部分６２，６２と、下側の挟み部分６０を支持するための台座部分６３と、を形成するように曲げられている。平面部分６１は金属線３０の両端３１，３１の上方に水平に配置されている。管状部分６２，６２はそれぞれ、平面部分６１の両側部に位置しており、平面部分６１の下面に沿って延在している。管状部分６２，６２のそれぞれは、平面部分６１の側部から外側に向かって突出したタブを筒状に丸めることによって形成される。
【００３６】
台座部分６３は、平面部分６１の前方部に位置している。台座部分６３は、矩形溝のような形をしていると共に、円弧状の上側の挟み部分５０と同じように平面視において前方に凹むように円弧状に湾曲している。下側の挟み部分６０は、蒲鉾形のパッドであり、下側の挟み部分６０の下側部分が溝状の台座部分６３内に嵌合されるような形で台座部分６３に装着されている。下側の挟み部分６０は、例えばゴムなどの軟質で弾性のある材料で作られており、特に、この材料は、上側の挟み部分５０よりも軟らかく、且つ、下側の挟み部分６０の上面を上側の挟み部分５０の挟み縁部に押し付けることによって弾性変形するように弾性的に変形可能である。下側の挟み部分６０は、円弧状に曲がった台座部分６３の中に下側の挟み部分６０が嵌入することによって平面視において円弧状の形になっている。下側の挟み部分６０は、上側の挟み部分５０の真下に配置されており、上側の挟み部分５０の挟み縁部と下側の挟み部分６０の上面とは、第２の部材３の枢動によって上側の挟み部分５０の挟み縁部と下側の挟み部分６０の上面とが互いに近づいたり離れたりするように、互いに向かい合っている。
【００３７】
図１３を参照すると、使用者が使用者自身の睫毛を立ち上げるためにアイラッシュカーラー１を取り扱う場合、まず、使用者はアイラッシュカーラー１を片手で掴む。このとき、使用者の親指が、第１の部材２の第１のリング部分２６の孔２７の中に挿入され、使用者の中指が、第２の部材３の第２のリング部分３６の孔３７の中に挿入されるべきである。このとき、特に、使用者は、第２の部材３の第２の凹曲部３９に使用者の人差し指を掛けておくべきである。これにより、アイラッシュカーラー１の取扱いが使用者にとって容易になる。
【００３８】
次に、使用者は、下側の挟み部分６０が上側の挟み部分５０の挟み縁部から離れるように第２の部材３を第１の部材２に対して相対的に動かす。それから、使用者は、瞼パッド５６を使用者の瞼に当てる。
【００３９】
図１４を参照すると、使用者は、瞼パッド５６を使用者の瞼に当てたまま、下側の挟み部分６０が上側の挟み部分５０の挟み縁部の方へ移動するように、第２の部材３を第１の部材２に対して相対的に動かす。第２の部材３のこの動作によって、使用者の睫毛が上側の挟み部分５０の挟み縁部と下側の挟み部分６０の上面との間に挟まれ、その結果、図１４に示されるように睫毛が立ち上げられる。このとき、使用者の上瞼の縁が、瞼パッド５６で上瞼が押圧されることによって膨出するが、瞼パッド５６の接触面５７から後方へオフセットされた上側の挟み部分５０は、膨出した瞼の縁から離れて位置する。その結果、膨出した瞼の縁が、上側の挟み部分５０の挟み縁部と下側の挟み部分６０の上面との間に挟まれない。
【００４０】
あるいは、図１５に示されているように、アイラッシュカーラー１は、使用者自身の睫毛ではなくて、別の人の睫毛をカーリングするために使用されてもよい。この場合、使用者が片手でアイラッシュカーラー１を掴む際に、使用者の親指が、第２の部材３の第２のリング部分３６の孔３７の中に挿入され、使用者の中指が、第１の部材２の第１のリング部分２６の孔２７の中に挿入されるべきである。このとき、特に、使用者は、第１の部材２の第１の凹曲部２９に使用者の人差し指を掛けておくべきである。
これにより、アイラッシュカーラー１の取扱いが使用者にとって容易になる。
【００４１】
アイラッシュカーラー１によれば、瞼パッド５６によって、アイラッシュカーラー１の使用中における取扱いが安定することになる。これにより、安全性が向上することになり、それにより、アイラッシュカーラー１を使用して睫毛が立ち上げられる人に安全な感覚を与え、瞼を挟む可能性があることに起因する不安感が和らげられる。特に、瞼パッド５６の幅が、１０〜２５ｍｍであり、好ましくは１５〜２０ｍｍであり、より好ましくは１８ｍｍであるので、人の眼球に向かって挟み部分５０，６０が接近することによる無意識の恐怖が和らげられる。また、取扱いの安定によって向上する安全な感覚は、無意識の恐怖を和らげることにも寄与する。
【００４２】
本願発明の好適な実施形態を例示目的で記載したが、当業者には、添付の特許請求の範囲に開示されている本発明の範囲及び趣旨から逸脱することなく、種々の修正、追加及び置換が可能であることが理解されよう。
【符号の説明】
【００４３】
１・・・  アイラッシュカーラー
２・・・  第１の部材
３・・・  第２の部材
４・・・  枢動軸
２４・・・  第１の細長い部分
２５・・・  第１のハンドル部
２６・・・  第１のリング部分
２７・・・  孔
２９・・・  第１の凹曲部
３４・・・  第２の細長い部分
３５・・・  第２のハンドル部
３６・・・  第２のリング部分
３７・・・  孔
３９・・・  第２の凹曲部
５０・・・  上側の挟み部分
５５・・・  瞼パッドカバー
５６・・・  瞼パッド
５７・・・  接触面
６０・・・  下側の挟み部分
【図１】
2014217429.tif 000003
【図２】
2014217429.tif 000004
【図３】
2014217429.tif 000005
【図４】
2014217429.tif 000006
【図５】
2014217429.tif 000007
【図６】
2014217429.tif 000008
【図７】
2014217429.tif 000009
【図８】
2014217429.tif 000010
【図９】
2014217429.tif 000011
【図１０】
2014217429.tif 000012
【図１１】
2014217429.tif 000013
【図１２】
2014217429.tif 000014
【図１３】
2014217429.tif 000015
【図１４】
2014217429.tif 000016
【図１５】
2014217429.tif 000017
【外国語明細書】
2014217429000001.pdf